(57)【要約】【課題】人に一定速度で歩く習慣を身につけさせる方法として、従来は、廊下・通路に沿って一定長さの線を引き、その距離を歩く時間を記載して、その時間でその距離を歩くように指示し、人は時計やストップウオッチを見ながら歩行時間を自分で計測していた。【解決手段】一定間隔でランプを配置した線状のランプ点滅装置と、一定時間間隔でランプを点滅させる制御器を廊下等に沿って床または壁に設置し、ランプを一定時間間隔で順次点滅させて歩行者をランプの点滅移動速度に合わせて歩かせることにより一定速度で歩くようにする。【選択図】図１
2018041603.tif 000002
【特許請求の範囲】
【請求項１】
人の歩行速度を一定にする装置において、複数のランプを線状に配置し該ランプを一定時間間隔で順次移動点滅させ人を該ランプの移動点滅と同一速度で歩かせることにより一定速度で歩くようにしたランプ点滅装置と、該時間間隔を設定し該ランプ点滅装置のランプを点滅させる装置と該時間設定信号を無線で送る無線装置で構成される制御器からなる歩速援助装置。
【請求項２】
上記補足援助装置の一つである親機と、親機とほぼ同じ構成のランプ点滅装置と制御器からなる複数の子機からなり、該複数の子機が該親機からの無線信号を受けて、該親機と同一の時間間隔でランプ点滅装置を点滅させるようにした請求項１記載の歩速援助装置。
【発明の詳細な説明】
【技術分野】
【０００１】
本発明は、人が廊下・通路を歩く速度を一定に保つことにより、適正速度でしかも快適に感じる速度で歩く習慣を身に付けさせる装置に関するものである。
【背景技術】
【０００２】
従来は、廊下・通路に沿って一定長さの線を描き、その距離を歩く時間を廊下・通路に記載して、人がその距離を歩く時間を時計やストップウオッチを見ながら、自分で測定して一定速度で歩くように習慣づけていた。
【０００３】
下記の非特許文献１では、一定速度の歩行が製造業のライン生産のタクトタイム（製品がラインを進む速度）を決定する上で重要としている。非特許文献２では、老人の痴ほう症予防には一定速度の歩行が重要である。また、非特許文献３、４では、一定速度の歩行が老人の痴ほう症予防に有効であることが述べられている。
【先行技術文献】
【非特許文献】
【０００４】
【非特許文献１】「歩行計測システムとその応用」横河技法、Vol51  No3（２００７）２１〜２３頁、若尾益生、沢村昌治他
【非特許文献２】「認知症予防のための歩行に対する動機付けを高める印刷教材開発の試み」２００９年度リサーチペーパー、早稲田大学大学院スポーツ科学研究科、大川晃
【非特許文献３】NHKスペッシャルシリーズ「認知症革命」平成２７年１１月１４日放送
【非特許文献４】「NHKチョイス＠病気になったとき」平成２８年１月１０日放送
【発明の概要】
【発明が解決しようとする課題】
【０００５】
廊下・通路に線と歩く時間を記載する必要がなく、また歩行者が時計やストップウオッチを見ながら歩行時間を計測しなくても、人が一定の適正速度で歩くようにする。
【課題を解決するための手段】
【０００６】
一定間隔でランプを配置した線状のランプ点滅装置と、点滅時間間隔を設定しランプを一定時間間隔で順次点滅させる制御器を廊下等に沿って、床または壁に設置する。ランプ点滅装置のランプを一定時間間隔で順次点滅させ、歩行者をランプの点滅移動速度に合わせて歩かせることにより一定速度で歩くようにする。
【０００７】
線状のランプ点滅装置と制御器からなる1台の親機と、親機とほぼ同じ構成の複数台の子機を、歩行者を一定速度で歩かせたい他の廊下等に配置し、親機からの無線信号を受けて、親機と同一の時間間隔でランプを点滅するようにする。
【０００８】
本発明を図で説明する。図１（１）は、本装置親機の全体図である。図２は親機制御器内部の結線図である。親機制御器３は、パルス発生回路３６にて、設定時間間隔でパルスを発生させ、その信号を１０進カウンター３１に送り、１０進カウンター３１と増幅回路３７ａ〜ｇで、親機ランプ２ａ〜ｖを順次点滅させる。また、パルス発生時間間隔は、無線モジュール３２により、無線信号にて、子機制御器４に送られる。
【０００９】
図１（２）は、本装置子機の全体図である。図３は子機制御器内部の結線図である。親機制御器３からの無線信号を無線モジュール４２で受け、その信号を１０進カウンター４１に送り、１０進カウンター４１と増幅回路４７ａ〜ｇで、子機ランプ６ａ〜ｖを順次点滅させる。
【００１０】
親機１台について子機の台数の制限はなく、親機の無線信号が届く概略１００ｍ範囲であれば問題なく、親機と同じ時間設定間隔でランプを点滅できる。
【発明の効果】
【００１１】
発明の歩速援助装置を使用すれば、ランプの点滅速度に合わせて歩くことで、最適の速度で歩く習慣を身に付けることができる。また、親機1台で複数の箇所に設置した子機のランプ点滅装置を点滅させることができる。
【図面の簡単な説明】
【００１２】
【図１】（１）は、本装置親機の全体図である。    （２）は、本装置子機の全体図である。
【図２】は、本装置の親機制御器内部の結線図である。
【図３】は、本装置の子機制御器内部の結線図である。
【発明を実施するための形態】
【００１３】
本発明による、請求項１の実施例１と請求項２の実施例２を次に示す。
【実施例１】
【００１４】
長さ１３．３ｍ、内径２５ｍｍの透明ビニールホース内に、高輝度ＬＥＤランプ２２コとその配線を挿入し、両端と０．６６５ｍ間隔でＬＥＤランプを均等に配置する。このホースを廊下のコーナーに長手方向に沿って設置する。ビニールホース端の配線は別置きの制御器に結線する。制御器は、パルス発生回路にてパルスを発生するパルス発生回路と、ランプを点滅させる１０進カウンターおよび増幅回路からなる。ホース一端のランプから他端のランプまで１０秒、すなわち、２２個のランプが、約０．４７６秒間隔で順次点滅すように設定する。この時間は一番理想的な歩行速度（１０秒で１３．３ｍを歩く速度）に対応する。歩行者は、このランプの移動速度に合わせて歩くことで、１０秒で１３．３ｍを歩く訓練ができる。
【実施例２】
【００１５】
実施例１の親機と、その親機から半径１００ｍ範囲にある工場内の複数の廊下または通路に、それぞれ子機を設置し、１台の親機からの無線信号で複数台の子機のランプ点滅装置を点滅させる。工場内の複数の箇所で歩行訓練できるので、より多く人が、より多くの回数の歩行訓練ができる。
【産業上の利用可能性】
【００１６】
製造業において、ライン生産で製品を加工、または、部品を組み立てる場合に作業員の歩行速度が一定（１０秒で１３．３ｍの歩速）であると、作業速度が適正に保たれ生産性が向上する効果がある。また、医療機関、リハビリテーションセンター、グループホームにおいて、老人を適正な速度（１０秒で８ｍの歩速）で歩かせることで痴ほう予防効果がある。
【符号の説明】
【００１７】
１  親機ランプ埋め込み線
２ａ〜ｖ  ランプ
３  親機制御器
３１  １０進カウンター
３２  発信無線モジュール
３３  定電圧回路
３４  ＩＮＶ回路
３５  スイッチング回路
３６  パルス発生回路
３７ａ〜ｇ  増幅回路
４  子機制御器
４１  １０進カウンター
４２  受信無線モジュール
４３  定電圧回路
４４  ＩＮＶ回路
４５  スイッチング回路
４７ａ〜ｇ  増幅回路
５  子機ランプ埋め込み線
６ａ〜ｖ  ランプ
【図１】
2018041603.tif 000003
【図２】
2018041603.tif 000004
【図３】
2018041603.tif 000005